(57)【要約】【課題】バリアユニットをバリアユニット保持部材にバヨネット結合で直接固定する場合においても、バリア駆動部材の回転伝達突起が貫通するバリアユニット保持部材の貫通孔を小さく仕組みを提供する。【解決手段】レンズ鏡筒は、バリア駆動部材２２の回転伝達突起２２ｃをバリアユニット保持部材１６の貫通孔１６ｂに挿入するときに、回転伝達突起２２ｃのカム面２２ｄと貫通孔１６の円周方向端部１６ｅとのカム作用によりバリア駆動部材２２をバリア羽根２１を開方向に付勢するバリア付勢部材２０の付勢力に抗して回転させ、この状態でバリアユニット１５をバリアユニット保持部材１６で保持した後、バリアユニット保持部材１６に対してバリアユニット１５をバリア駆動部材２２を回転させた方向と一致する方向に回転させることにより、バリアユニット保持部材１６に対してバリアユニット１５をバヨネット結合で固定する。【選択図】図５
2013029599.tif 000002
【特許請求の範囲】
【請求項１】
バリアユニット保持部材に対してバリアユニットが固定されるレンズ鏡筒であって、
前記バリアユニットは、
バリア羽根と、
前記バリア羽根を回動可能に支持するとともに、前記バリア羽根の回動により開閉される開口部を有するバリア保持部材と、
前記バリア保持部材に対して回転可能に保持され、像面側に突出した回転伝達部を有するバリア駆動部材と、
前記バリア駆動部材と前記バリア羽根との間に設けられ、前記バリア羽根を回動する方向に付勢するバリア付勢部材と、を備え、
前記バリアユニット保持部材は、
円周方向に沿って形成された貫通孔を有し、
前記回転伝達部を前記貫通孔に挿入するときに、前記回転伝達部の先端部に形成されたカム面と前記貫通孔の円周方向の端部とのカム作用により、前記バリア駆動部材を前記バリア付勢部材の付勢力に抗して回転させ、
前記バリアユニットを保持した後、前記バリア駆動部材を回転させた方向と一致する方向に前記バリアユニットを回転させることにより、前記バリアユニットとバヨネット結合で固定されることを特徴とするレンズ鏡筒。
【請求項２】
前記回転伝達部は、像面側に向けて光軸と平行に突出するとともに、回転力伝達部材から前記バリア羽根を開閉させるための回転力が伝達され、
前記バリア駆動部材は、前記回転伝達部のカム面と前記回転力伝達部材に形成されたカム係合部とのカム作用により回転力が伝達されることを特徴とする請求項１に記載のレンズ鏡筒。
【請求項３】
前記回転力伝達部材は、直進ガイド筒であることを特徴とする請求項１または２に記載のレンズ鏡筒。
【請求項４】
バリアユニットが搭載されるレンズ鏡筒を備える撮像装置であって、
前記レンズ鏡筒として、請求項１ないし３の何れか１項に記載のレンズ鏡筒を備えることを特徴とする撮像装置。
【発明の詳細な説明】
【技術分野】
【０００１】
本発明は、バリアユニットが搭載されるレンズ鏡筒、及びレンズ鏡筒を備えるデジタルカメラ等の撮像装置に関する。
【背景技術】
【０００２】
バリアユニットが搭載されるレンズ鏡筒では、バリアユニットをバリアユニット保持部材に対してバヨネット結合により直接固定することで、組み立て作業性を向上させる技術が提案されている（特許文献１）。
【０００３】
この提案では、バリアユニットをバリアユニット保持部材に固定する際には、バリアユニットの駆動リングの回転伝達突起がバリアユニット保持部材の貫通孔を貫通するまでバリアユニットを光軸方向に挿入する。その後、バリアユニットのバリアカバーに設けられたフック部がバリアユニット保持部材に設けられた掛止部に掛止される方向にバリアユニットを回転させることでバリアユニットをバリアユニット保持部材に固定する。
【先行技術文献】
【特許文献】
【０００４】
【特許文献１】特開２０１０−１９１０６２号公報
【発明の概要】
【発明が解決しようとする課題】
【０００５】
上記特許文献１では、バリアユニット保持部材の貫通孔は、バリアユニットをバリアユニット保持部材に光軸方向に組み込んだ後、回転させてバリアユニット保持部材に固定する一連の動作中に、駆動リングの回転伝達突起が干渉しないように形成される。このため、バリアユニットの必要な回転角度分だけバリアユニット保持部材の貫通孔の円周方向の長さを長くして貫通孔を大きく形成する必要がある。
【０００６】
しかし、バリアユニット保持部材の貫通孔が大きくなると、バリアユニット保持部材の剛性が低下することに加えて、貫通孔を介して外部からの塵や砂等の異物が入り込み易くなり、レンズ鏡筒の作動不良の原因となる可能性がある。
【０００７】
そこで、本発明は、バリアユニットをバリアユニット保持部材にバヨネット結合で直接固定する場合においても、バリア駆動部材の回転伝達突起が貫通するバリアユニット保持部材の貫通孔を小さくすることができる仕組みを提供することを目的とする。
【課題を解決するための手段】
【０００８】
上記目的を達成するために、本発明は、バリアユニット保持部材に対してバリアユニットが固定されるレンズ鏡筒であって、前記バリアユニットは、バリア羽根と、前記バリア羽根を回動可能に支持するとともに、前記バリア羽根の回動により開閉される開口部を有するバリア保持部材と、前記バリア保持部材に対して回転可能に保持され、像面側に突出した回転伝達部を有するバリア駆動部材と、前記バリア駆動部材と前記バリア羽根との間に設けられ、前記バリア羽根を回動する方向に付勢するバリア付勢部材と、を備え、前記バリアユニット保持部材は、円周方向に沿って形成された貫通孔を有し、前記回転伝達部を前記貫通孔に挿入するときに、前記回転伝達部の先端部に形成されたカム面と前記貫通孔の円周方向の端部とのカム作用により、前記バリア駆動部材を前記バリア付勢部材の付勢力に抗して回転させ、前記バリアユニットを保持した後、前記バリア駆動部材を回転させた方向と一致する方向に前記バリアユニットを回転させることにより、前記バリアユニットとバヨネット結合で固定されることを特徴とする。
【発明の効果】
【０００９】
本発明によれば、バリアユニットをバリアユニット保持部材にバヨネット結合で直接固定する場合においても、バリア駆動部材の回転伝達部が貫通するバリアユニット保持部材の貫通孔を小さくすることができる。これにより、バリアユニット保持部材の剛性を向上させることができるとともに、外部からの異物が貫通孔から入り込み難くなり、レンズ鏡筒の良好な作動性を確保することができる。
【図面の簡単な説明】
【００１０】
【図１】本発明の実施形態に係るレンズ鏡筒を備える撮像装置の一例としてのデジタルカメラを正面側から見た外観斜視図である。
【図２】レンズ鏡筒の分解斜視図である。
【図３】１群鏡筒の分解斜視図である。
【図４】バリアユニットの分解斜視図を含むバリアユニット保持部材の斜視図である。
【図５】バリアユニットをバリアユニット保持部材の被写体側の端部に組み込む前の状態を示す斜視図である。
【図６】バリアユニットの回転伝達突起のカム面がバリアユニット保持部材の貫通孔のカム係合部に当接した状態を示す斜視図である。
【図７】バリアユニットの回転伝達突起がバリアユニット保持部材の貫通孔に挿入された状態を示す斜視図である。
【図８】レンズ鏡筒の繰り出し時におけるバリアユニットと直進ガイド筒との関係を示す斜視図である。
【図９】バリア羽根の開き状態を被写体側から光軸方向に見た図である。
【図１０】レンズ鏡筒の繰り込み時におけるバリアユニットと直進ガイド筒との関係を示す斜視図である。
【図１１】バリア羽根の閉じ状態を被写体側から光軸方向に見た図である。
【発明を実施するための形態】
【００１１】
以下、本発明の実施形態の一例を、図１〜１１を参照して説明する。
【００１２】
図１は、本発明の実施形態に係るレンズ鏡筒を備える撮像装置の一例としてのデジタルカメラを正面側から見た外観斜視図である。図１に示したデジタルカメラの状態は、本実施形態のデジタルカメラの電源をオン状態でレンズ鏡筒２が撮影位置にある状態である。
【００１３】
図１に示すように、本実施形態のデジタルカメラは、カメラ本体１の正面側に、ズーム式のレンズ鏡筒２及びファインダ窓５が設けられる。レンズ鏡筒２は、カメラ本体１の電源がオフ状態で沈胴位置に繰り込み、カメラ本体１の電源がオン状態で撮影位置に繰り出すようになっている。
【００１４】
また、カメラ本体１の上面には、被写体に照明光を照射するストロボ装置の発光窓部４、及びレリーズボタン６が設けられている。なお、図示は省略するが、カメラ本体１の内部には、レンズ鏡筒２の撮影光学系を通過して結像された被写体像を光電変換するＣＣＤセンサやＣＭＯＳセンサ等の撮像素子が搭載されている。
【００１５】
＜レンズ鏡筒２の構成＞
図２は、レンズ鏡筒２の分解斜視図である。図２に示すように、レンズ鏡筒２は、１群レンズ鏡筒７、直進ガイド筒８、２群レンズ鏡筒９、移動カム筒１０、３群レンズ鏡筒１１、固定筒１２、及び鏡筒保持部材１３を備える。
【００１６】
１群レンズ鏡筒７は、直進ガイド筒８の外周側に配置され、第１レンズ群１７（図３参照）を保持する。直進ガイド筒８は、鏡筒保持部材１３に固定された固定筒１２の内周側に配置され、固定筒１２により回転が規制されて、光軸方向にのみ移動可能とされている。
【００１７】
２群レンズ鏡筒９は、直進ガイド筒８の内周側に配置され、第２レンズ群９ａを保持する。２群レンズ鏡筒９は、直進ガイド筒８により回転が規制されて、光軸方向にのみ移動可能とされている。また、２群レンズ鏡筒９は、不図示のシャッタユニット、絞りユニット、振れ補正機構を有している。
【００１８】
移動カム筒１０は、直進ガイド筒８の外周側で、かつ固定筒１２の内周側に配置され、直進ガイド筒８に対して光軸周りに回転可能、且つ、光軸方向に移動可能とされている。３群レンズ鏡筒１１は、第３レンズ群１１ａを保持する。第３レンズ群１１ａは、フォーカス動作時に光軸方向に移動するフォーカスレンズ群として機能する。３群レンズ鏡筒１１は、鏡筒保持部材１３に固定されたＡＦガイド軸に光軸方向にガイドされ、スクリューの回転により光軸方向に移動するようになっている。
【００１９】
そして、不図示のズームモータから移動カム筒１０に回転駆動力が伝わると、移動カム筒１０は回転しながら光軸方向に沿って移動し、直進ガイド筒８は、回転することなく移動カム筒１０と共に光軸方向に移動する。また、１群レンズ鏡筒７及び２群レンズ鏡筒９は、直進ガイド筒８により回転が規制された状態で光軸方向に沿って移動する。本実施形態では、１群レンズ鏡筒７の第１レンズ群１７、及び２群レンズ鏡筒９の第２レンズ群９ａを光軸方向に移動させることにより、焦点距離を変更可能な２群のズーム式レンズ鏡筒を構成している。
【００２０】
図３は、１群レンズ鏡筒７の分解斜視図である。図３に示すように、１群レンズ鏡筒７は、キャップ１４、バリアユニット１５、及びバリアユニット保持部材１６を備える。バリアユニット保持部材１６の外周部には、３本のフォロアピン１９が円周方向に略等間隔で突設されている。バリアユニット保持部材１６の中央部には、第１レンズ群１７が１群レンズ保持枠１８を介して保持されている。
【００２１】
バリアユニット１５は、バリアユニット保持部材１６の被写体側の端部に第１レンズ群１７を覆うようにバヨネット結合により固定される。キャップ１４は、バリアユニット１５が固定されたバリアユニット保持部材１６の被写体側の端部に両面テープ等を介して固定される。
【００２２】
＜バリアユニット１５の構造＞
図４は、バリアユニット１５とバリアユニット保持部材１６の斜視図であり、バリアユニット１５は分解斜視図として示している。図４に示すように、バリアユニット１５は、バリア付勢部材２０、バリア羽根２１、バリア駆動部材２２、及びバリア保持部材２３を備える。
【００２３】
このバリアユニット１５は、レンズ鏡筒２の撮影光学系の前方に配置され、カメラ本体１の電源オン／オフに従って撮影光学系の開口部を開閉自在に覆っている。カメラ本体１の電源がオフ状態では、レンズ鏡筒２が沈胴位置に繰り込んでバリアユニット１５のバリア羽根２１（図４参照）が閉じる。反対に、カメラ本体１の電源がオン状態では、レンズ鏡筒２が撮影位置に繰り出してバリアユニット１５のバリア羽根２１が開くようになっている。
【００２４】
バリア付勢部材２０は、例えば引っ張りコイルばねで構成され、バリア羽根２１とバリア駆動部材２２との間に掛止されて、バリア羽根２１を開く方向の付勢力を発生させる。バリア羽根２１は、軸２１ｂがバリア保持部材２３に回転可能に支持されており、軸２１ｂを支点としてバリア保持部材２３の開口部を開閉する方向に回動可能とされている。バリア駆動部材２２は、バリア保持部材２３に対して回転可能に保持されている。バリア保持部材２３は、後述するように、バリアユニット保持部材１６に対してバヨネット結合により固定される。
【００２５】
バリアユニット１５を組み立てるには、まず、バリア保持部材２３に対してバリア駆動部材２２を被写体側から光軸方向に組み込んだ後、バリア保持部材２３の軸穴２３ｂにバリア羽根２１の軸２１ｂを被写体側から組み込む。
【００２６】
バリア駆動部材２２の外周部には、径方向外側に突出する２つのフランジ部２２ｂが円周方向に間隔をあけて設けられている。また、バリア駆動部材２２の外周部には、像面側に向けて光軸と平行に突出する回転伝達突起２２ｃが設けられ、回転伝達突起２２ｃの先端部には、斜面状のカム面２２ｄが形成されている。バリアユニット保持部材１６の被写体側の端部には、バリア駆動部材２２の回転伝達突起２２ｃが光軸方向に挿入される貫通孔１６ｂが形成される。貫通孔１６ｂは、バリアユニット保持部材１６の円周方向に沿って切り欠かれており、円周方向の端部は、回転伝達突起２２ｃのカム面２２ｄがカム係合するカム係合部１６ｅとされている。ここで、回転伝達突起２２ｃは、本発明の回転伝達部の一例に相当する。
【００２７】
そして、２つのフランジ部２２ｂの被写体側の面と回転伝達突起２２ｃの被写体側の面は摺動面となっており、バヨネット構造により３つの摺動面がそれぞれバリア保持部材２３の３箇所のバヨネット規制部２３ｃの像面側の面に当接する。
【００２８】
これにより、バリア駆動部材２２の光軸方向の移動（例えば、位置ずれ、撓み等の変形）が規制され、バリア羽根２１の円滑な開閉動作が確保される。また、バリア駆動部材２２とバリア保持部材２３との光軸方向の位置関係は、バリア羽根２１の開状態から閉状態まで常に保たれているため、バリア羽根２１の開閉動作中にバリア駆動部材２２がバリア保持部材２３から脱落することはない。
【００２９】
一方、光軸に直交する方向では、バリア保持部材２３の内周部に円周方向に設けられた６箇所の被嵌合部２３ｄに、バリア駆動部材２２の外周部に設けられた嵌合部２２ｅが円周方向に摺動可能に嵌合される。これにより、バリア駆動部材２２がバリア保持部材２３に対して回転可能な状態で精度良く保持される。
【００３０】
この状態で、バリア付勢部材２０の両端をそれぞれバリア羽根２１のばね掛け部２１ａとバリア駆動部材２２のばね掛け部２２ａとに掛止すると、バリア羽根２１とバリア駆動部材２２とは、バリア付勢部材２０の付勢力により互いに引き寄せられる。
【００３１】
これにより、バリア駆動部材２２は、図の時計回りに回転し、バリア駆動部材２２の回転に伴ってバリア羽根２１は反時計周りに回転して、開き方向に付勢される。そして、バリア羽根２１がバリア保持部材２３に設けられた開きストッパ部２３ｅに当接することにより、バリア羽根２１が開き位置に保持される。
【００３２】
バリア羽根２１が開き状態にあるとき、バリア駆動部材２２の上述した３つの摺動面がバリア保持部材２３の３箇所のバヨネット規制部２３ｃに対してオーバーラップしているため、バリア駆動部材２２は光軸方向に外れることはない。
【００３３】
＜バリアユニット１５とバリアユニット保持部材１６の固定方法＞
次に、図５〜図７を参照して、バリアユニット１５をバリアユニット保持部材１６の被写体側の端部にバヨネット結合で固定する方法について説明する。
【００３４】
図５は、バリアユニット１５をバリアユニット保持部材１６の被写体側の端部に組み込む前の状態を示す斜視図である。図６は、バリアユニット１５の回転伝達突起２２ｃのカム面２２ｄがバリアユニット保持部材１６の貫通孔１６ｂのカム係合部１６ｅに当接した状態を示す斜視図である。図７は、バリアユニット１５の回転伝達突起２２ｃがバリアユニット保持部材１６の貫通孔１６ｂに挿入された状態を示す斜視図である。
【００３５】
まず、図５の状態からバリアユニット１５をバリアユニット保持部材１６に対して光軸方向に接近させて、バリア駆動部材２２の回転伝達突起２２ｃの先端をバリアユニット保持部材１６の貫通孔１６ｂに配置する。そして、図６に示すように、バリア駆動部材２２の回転伝達突起２２ｃのカム面２２ｄをバリアユニット保持部材１６の貫通孔１６ｂのカム係合部１６ｅに当接させる。この状態では、バリア駆動部材２２の回転伝達突起２２ｃには外力が作用していないため、バリア羽根２１には、バリア付勢部材２０の付勢力のみが作用している。従って、バリア羽根２１は、バリア付勢部材２０の開方向の付勢力によって開き状態となっている。
【００３６】
図７は、バリア駆動部材２２の回転伝達突起２２ｃのカム面２２ｄを、バリアユニット保持部材１６の貫通孔１６ｂのカム係合部１６ｅに沿わせるようにして、回転伝達突起２２ｃの先端部を貫通孔１６ｂに完全に挿入した状態である。このとき、バリアユニット保持部材１６の内周部には、バリア保持部材２３の嵌合筒部２３ｇが嵌合される。
【００３７】
ここで、図６の状態から図７の状態に移行する際、バリア駆動部材２２は、回転伝達突起２２ｃのカム面２２ｄと貫通孔１６ｂのカム係合部１６ｅとのカム作用によりバリア付勢部材２０の付勢力に抗して所定の回転角度分だけ反時計方向に回転する。このため、バリア羽根２１は、全開状態から少し閉じた状態となる。
【００３８】
また、図７の状態では、バリア羽根２１は、バリア付勢部材２０により開き方向に付勢されており、バリア駆動部材２２には、図の時計回り方向の回転力が常に負荷された状態となっている。つまり、このバリア駆動部材２２の時計回り方向の回転力により、回転伝達突起２２ｃにも時計回り方向に回転しようとする力が常に働いているため、回転伝達突起２２ｃが貫通孔１６ｂのカム係合部１６ｅに押し付けられた状態で保持される。これにより、図７の状態で、バリアユニット１５をバリアユニット保持部材１６に保持することが可能となる。このため、バリアユニット１５を回転させてバリアユニット保持部材１６にバヨネット結合する際に使用する工具セット等が簡易なものですみ、作業性が向上する。
【００３９】
また、図７の状態では、バリア保持部材２３の内周部に円周方向に略１８０°離間して設けられた２つの回転規制部２３ｆ（図９参照）がバリアユニット保持部材１６に設けられた２つの回転規制突起１６ｃに乗り上げた状態となっている。そして、図７の状態から、バリアユニット１５をバリアユニット保持部材１６に対して被写体側から見て反時計回りに回転させると、バリア保持部材２３の２つの回転規制部２３ｆがバリアユニット保持部材１６の２つの回転規制突起１６ｃを乗り越えて嵌合する。このとき、回転伝達突起２２ｃのカム面２２ｄと貫通孔１６ｂのカム係合部１６ｅとのカム係合が解除され、バリア羽根２１は、バリア付勢部材２０の付勢力により開き方向に回動して全開状態となる。
【００４０】
これにより、光軸と直交する平面の円周方向において、バリア保持部材２３は、バリアユニット保持部材１６に対して回転が規制されて位置決めされる。また、バリア保持部材２３の外周部に設けられた３箇所の突起部２３ａがバリアユニット保持部材１６の対応する位置に設けられた３箇所のバヨネット規制部１６ａに挿入されて光軸方向に規制される。従って、バリア保持部材２３が光軸方向に移動（例えば、位置ずれ、撓み等の変形を生じる）することがない。
【００４１】
そして、バリアユニット保持部材１６の内周部に設けられた６箇所の被嵌合部１６ｄにバリア保持部材２３の嵌合筒部２３ｇが嵌合することで、光軸と直交する径方向においても位置決めされる。このように、バリアユニット１５をバリアユニット保持部材１６にバヨネット結合で固定する場合においても、バリアユニット１５をバリアユニット保持部材１６に対して精度良く位置決めして固定することができる。
【００４２】
次に、図８〜図１１を参照して、バリア羽根２１の開閉動作について説明する。
【００４３】
図８はレンズ鏡筒２の繰り出し時におけるバリアユニット１５と直進ガイド筒８との関係を示す斜視図、図９はバリア羽根２１の開き状態を被写体側から光軸方向に見た図である。図１０はレンズ鏡筒２の繰り込み時におけるバリアユニット１５と直進ガイド筒８との関係を示す斜視図、図１１はバリア羽根２１の閉じ状態を被写体側から光軸方向に見た図である。なお、図８及び図１０では、説明の便宜上、バリアユニット１５及び直進ガイド筒８以外の図示は省略している。
【００４４】
レンズ鏡筒２が図８及び図９の繰り出し状態から徐々に繰り込むと、バリア駆動部材２２の回転伝達突起２２ｃのカム面２２ｄが直進ガイド筒８のカム係合部８ａに当接する。このとき、回転伝達突起２２ｃのカム面２２ｄは、カム係合部８ａから法線方向に力を受け、その分力はＦ１とＦ２となる。
【００４５】
分力Ｆ１は、バリア駆動部材２２をバリア付勢部材２０の付勢力に抗して反時計回りに回転させようとする力であり、分力Ｆ２は、バリア駆動部材２２を繰り出し方向へ押す力である。
【００４６】
分力Ｆ１は、図８の状態において、バリア駆動部材２２の回転伝達突起２２ｃを押して反時計回りに回転させる。これにより、羽根押し部２２ｆは、バリア羽根２１から離れる方向に移動し、バリア羽根２１も羽根押し部２２ｆに追従するように軸２１ｂを中心として閉じ方向に回動する。更にレンズ鏡筒２の繰り込み動作が進むと、バリア羽根２１を全閉（図１１参照）させるために必要な回転角度分バリア駆動部材２２が回転して沈胴状態となる。
【００４７】
本実施形態では、バリアユニット１５をバリアユニット保持部材１６に対してバヨネット結合により固定するための回転方向と、回転伝達突起２２ｃが受ける分力Ｆ１によりバリア駆動部材２２をバリア羽根２１の閉じ方向に回転させる方向とを一致させている。このため、バリア羽根２１の開閉動作によりバリア駆動部材２２がバリア保持部材２３から外れないようになっている。また、バリア保持部材２３は、前述したように回転規制部２３ｆがバリアユニット保持部材１６の回転規制突起１６ｃに嵌合しているため、分力Ｆ１による回転力を受けてもバリアユニット保持部材１６から外れることはない。
【００４８】
また、回転伝達突起２２ｃが分力Ｆ２を受けても、前述したように、バリア駆動部材２２の２つのフランジ部２２ｂの被写体側の面と回転伝達突起２２ｃの被写体側の面が、バリア保持部材２３の３箇所のバヨネット規制部２３ｃに光軸方向に受け止められる。これにより、バリア駆動部材２２の光軸方向の移動（例えば、位置ずれ、撓み等の変形）が規制され、バリア羽根２１の開閉動作を円滑に行うことができる。
【００４９】
また、前述したように、バリア保持部材２３もバリアユニット保持部材１６に対して光軸方向への移動が規制されているので、バリア駆動部材２２の回転伝達突起２２ｃが受ける外力の伝達ロスを少なくすることができる。これにより、効率よくバリア羽根２１の開閉動作を行うことができる。
【００５０】
さらに、バリア保持部材２３には、回転伝達突起２２ｃの近傍に不図示の２箇所の規制部を設け、これをバリアユニット保持部材１６が受ける構造となっている。このように、回転伝達突起２２ｃに分力Ｆ２が負荷されても、バリア駆動部材２２、バリア保持部材２３は光軸方向に外れない構造となっている。
【００５１】
次に、バリア羽根２１の閉じ状態から開く方向への動作について説明する。
【００５２】
レンズ鏡筒２が図１０の繰り込み状態から徐々に繰り出すと、バリア駆動部材２２は、バリアユニット保持部材１６の繰り出し動作に伴って、回転伝達突起２２ｃのカム面２２ｄが直進ガイド筒８のカム係合部８ａに係合しながら回転する。
【００５３】
更にレンズ鏡筒２が繰り出すと、図１０の状態からバリア駆動部材２２の回転伝達突起２２ｃに力を加えていた直進ガイド筒８のカム係合部８ａと回転伝達突起２２ｃとの係合が解除される。これにより、バリア駆動部材２２には、バリア付勢部材２０の付勢力のみが加わるため、バリア駆動部材２２は、時計回り方向に回転する。この回転により、バリア羽根２１は、バリア駆動部材２２の羽根押し部２２ｆに押されて、軸２１ｂを中心として反時計回りに回動し、図８及び図９に示す開き状態となる。
【００５４】
以上説明したように、本実施形態では、回転伝達突起２２ｃのカム面２２ｄとバリアユニット保持部材１６の貫通孔１６ｂのカム係合部１６ｅとのカム作用により、バリア駆動部材２２をバリア付勢部材２０の付勢力に抗して反時計回りに回転させる。そして、この状態で、バリアユニット１５をバリアユニット保持部材１６に対して反時計回りに回転させることで、バリアユニット１５がバリアユニット保持部材１６にバヨネット結合により固定される。
【００５５】
これにより、バリアユニット保持部材１６の貫通孔１６ｂの円周方向の長さを従来に比べて短くすることができ、結果として貫通孔１６ｂを小さくすることができる。このため、バリアユニット保持部材１６の剛性を向上させることができるとともに、外部からの異物が貫通孔１６ｂから入り込み難くなり、レンズ鏡筒２の良好な作動性を確保することができる。
【００５６】
なお、本発明の構成は、上記実施形態に例示したものに限定されるものではなく、材質、形状、寸法、形態、数、配置箇所等は、本発明の要旨を逸脱しない範囲において適宜変更可能である。
【００５７】
例えば、上記実施形態では、バリア羽根２１の開閉動作時にバリア駆動部材２２を回転させる回転力伝達部材として、直進ガイド筒８を例示したが、これに限定されない。例えば、直進ガイド筒８以外の部材からバリア駆動部材２２が回転力を受ける場合や回転部材の回転力をバリア駆動部材２２に伝達するようにしてもよい。
【符号の説明】
【００５８】
１５  バリアユニット
１６  バリアユニット保持部材
１６ｂ  貫通孔
１６ｅ  カム係合部
２０  バリア付勢部材
２１  バリア羽根
２２  バリア駆動部材
２２ｃ  回転伝達突起
２２ｄ  カム面
２３  バリア保持部材
【図１】
2013029599.tif 000003
【図２】
2013029599.tif 000004
【図３】
2013029599.tif 000005
【図４】
2013029599.tif 000006
【図５】
2013029599.tif 000007
【図６】
2013029599.tif 000008
【図７】
2013029599.tif 000009
【図８】
2013029599.tif 000010
【図９】
2013029599.tif 000011
【図１０】
2013029599.tif 000012
【図１１】
2013029599.tif 000013